(57)【要約】【課題】噴射される内容液をより遠く、より高いところまで、また家具の隙間や部屋の隅などの隙間、さらにはエアコンのような電機製品の内部まで確実に到達させることができるように、必要に応じて容器本体の全高以上に長い噴射ノズル部を形成可能としたロングノズル付き噴射容器を提供する。【解決手段】基端部において屈曲自在な所定長さの基本ノズル部５が容器本体１の内容液噴出口４に取り付けられているとともに、該基本ノズル部５の先端に連結自在な所定長さからなる延長ノズル部１２が容器本体１またはキャップ９の適宜位置に取り外し自在に備えられ、基本ノズル部５の屈曲部（軟質チューブ）７には、内容液噴射時に基本ノズル部５に延長ノズル部１２を連結したときに基本ノズル部５と延長ノズル部１２の全体をほぼ直線状に保持することができるノズル保持機構（バネ）８を設けた。【選択図】　　　図１
2004026278.tif 000002
【特許請求の範囲】
【請求項１】
基端部において屈曲自在な所定長さの基本ノズル部が容器本体の内容液噴出口に取り付けられているとともに、該基本ノズル部の先端に連結自在な所定長さからなる延長ノズル部を備え、前記基本ノズル部の屈曲部には、内容液噴射時に前記基本ノズル部に前記延長ノズル部を連結したときに基本ノズル部と延長ノズル部の全体をほぼ直線状に保持することができるノズル保持機構が備えられていることを特徴とするロングノズル付き噴射容器。
【請求項２】
容器本体の内容液噴出口に所定長さからなる基本ノズル部が回転継ぎ手によって回動自在に取り付けられているとともに、前記基本ノズル部の先端に連結自在な所定長さからなる延長ノズル部が備えられていることを特徴とするロングノズル付き噴射容器。
【請求項３】
中間の屈曲部において全体を二つ折りに折り曲げ可能とされた延長ノズル部を備え、前記屈曲部には、内容液噴射時に前記延長ノズル部を容器本体の内容液噴出口に取り付けたときに延長ノズル部全体をほぼ直線状に保持することができるノズル保持機構が備えられていることを特徴とするロングノズル付き噴射容器。
【請求項４】
中間の屈曲部において二つ折りに折り曲げ可能とされた所定長さの延長ノズル部が、基端部に形成された屈曲部を介して容器本体の内容液噴出口に取り付けられているとともに、前記屈曲部には、内容液噴射時に前記延長ノズル部全体をほぼ直線状に保持することができるノズル保持機構がそれぞれ備えられていることを特徴とするロングノズル付き噴射容器。
【請求項５】
複数本の延長ノズル部を備え、該延長ノズル部は、容器本体の内容液噴出口に取り付け可能とされているとともに、延長ノズル部同士でお互いに連結可能とされていることを特徴とするロングノズル付き噴射容器。
【請求項６】
一端を容器本体の内容液噴出口に取り付けられもしくは取り付け可能とされた可撓性を有する延長ノズル部が容器本体の上部に形成された噴射ボタンの外周に巻回されて収納されており、該可撓性を有する延長ノズル部には、内容液噴射時に該延長ノズル部を巻きほどいて延長したときに延長ノズル部全体をほぼ直線状に保持することができるノズル保持機構が添装されていることを特徴とするロングノズル付き噴射容器。
【請求項７】
前記基本ノズル部または延長ノズル部の連結がネジ機構によって行われるものであることを特徴とする請求項１、２、３、５、６のいずれかに記載のロングノズル付き噴射容器。
【請求項８】
前記ノズル保持機構がバネ、蛇腹またはワイヤーからなることを特徴とする請求項１、３，４、６のいずれかに記載のロングノズル付き噴射容器。
【請求項９】
容器本体内に収容された内容液が、防・殺カビ剤、除菌・抗菌剤、消臭剤、芳香剤、洗浄剤、漂白剤、防・殺虫剤、防・殺蟻剤、防・殺ダニ剤、防・殺鼠剤、潤滑剤から選ばれた１種または２種以上の液体であることを特徴とする請求項１〜８のいずれかに記載のロングノズル付き噴射容器。
【発明の詳細な説明】
【０００１】
【産業上の利用分野】
本発明は、ロングノズル付きの噴射容器に関する。
【０００２】
【従来の技術】
エアゾールやトリガースプレーなどの噴射容器は従来より種々の目的で利用されている。しかし、一般に、この種の噴射容器における内容液噴出口は容器の上部に横向きに僅かに突出させて設けられ、噴射ボタンの押し下げやトリガーの引き絞りによって内容液噴出口から内容液を噴出させていた。このため、噴出された液体は内容液噴出口から噴出するとすぐに拡散してしまい、それほど遠くまで噴出させることができなかった。また、内容液が直ぐに拡散してしまうため、穴状あるいは溝状をした機器内部に噴射する際などには、外部にも漏れ出てしまい、効率よく機器内部に送り込むことができなかった。
【０００３】
このような問題を解決するため、実開昭５６−１７６０７０号公報には、不使用時、エアゾール噴射用のロングノズルをバネの弾性を利用して収納するようにした噴霧器が提案されている。また、特開平１１−３００２４１号公報には、ロングノズルを噴射容器の噴口部にネジを用いて螺着するようにした噴霧器が提案されている。しかしながら、そのどちらもエアゾール噴射容器の全高以上に長いロングノズルを構成することはできなかった。
【０００４】
一方、特開２０００−２９６３５１号公報には、内容液の噴出口に回動式連結部を介して伸縮自在のチューブを取り付けたエアゾール噴射装置が提案され、噴射容器の全高よりも長いロングノズルを形成することを可能にしている。しかし、このエアゾール噴射装置の場合、内容液を噴射する際、噴射圧力によって伸縮チューブ部の繋ぎ目部分から内容物がしたり、継ぎ足した伸縮チューブが外れて飛び出してしまうなどの問題が発生する可能性がある。これを防止するために伸縮チューブの繋ぎ目部分の密着性を高めると、伸縮チューブの可動性が悪くなってしまい、使い勝手が悪くなってしまう。
【０００５】
【発明が解決しようとする課題】
本発明は、上記問題を解決するためになされたもので、噴射される内容液をより遠く、より高いところまで、また家具の隙間や部屋の隅などの隙間、さらにはエアコンのような電機製品の内部まで確実に到達させることができるように、必要ように応じて噴射容器の全高以上に長い噴射ノズル部を形成可能としたロングノズル付き噴射容器を提供することを目的とするものである。
【０００６】
【課題を解決するための手段】
本発明者らは、種々実験・研究を重ねた結果、噴射容器先端の内容液噴出口部に延長用のチューブを着脱自在に接続することにより、より遠く、より高いところまで、また家具の隙間や部屋の隅などの隙間、さらにはエアコンのような電機製品の内部まで、効率よく内容液を噴射できることを見い出した。本発明はこの知見の下になされたものである。
【０００７】
そこで、上記課題を解決するため、請求項１に係る発明は、基端部において屈曲自在な所定長さの基本ノズル部が容器本体の内容液噴出口に取り付けられているとともに、該基本ノズル部の先端に連結自在な所定長さからなる延長ノズル部を備え、前記基本ノズル部の屈曲部には、内容液噴射時に前記基本ノズル部に前記延長ノズル部を連結したときに基本ノズル部と延長ノズル部の全体をほぼ直線状に保持することができるノズル保持機構が備えられた構成のロングノズル付き噴射容器としたものである。
【０００８】
また、請求項２に係る発明は、容器本体の内容液噴出口に所定長さからなる基本ノズル部が回転継ぎ手によって回動自在に取り付けられているとともに、前記基本ノズル部の先端に連結自在な所定長さからなる延長ノズル部が備えられた構成のロングノズル付き噴射容器としたものである。
【０００９】
また、請求項３に係る発明は、中間の屈曲部において全体を二つ折りに折り曲げ可能とされた延長ノズル部を備え、前記屈曲部には、内容液噴射時に前記延長ノズル部を容器本体の内容液噴出口に取り付けたときに延長ノズル部全体をほぼ直線状に保持することができるノズル保持機構が備えられた構成のロングノズル付き噴射容器としたものである。
【００１０】
また、請求項４に係る発明は、中間の屈曲部において二つ折りに折り曲げ可能とされた所定長さの延長ノズル部が、基端部に形成された屈曲部を介して容器本体の内容液噴出口に取り付けられているとともに、前記屈曲部には、内容液噴射時に前記延長ノズル部全体をほぼ直線状に保持することができるノズル保持機構がそれぞれ備えられた構成のロングノズル付き噴射容器としたものである。
【００１１】
また、請求項５に係る発明は、複数本の延長ノズル部を備え、該延長ノズル部は、容器本体の内容液噴出口に取り付け可能とされているとともに、延長ノズル部同士でお互いに連結可能とされた構成のロングノズル付き噴射容器としたものである。
【００１２】
また、請求項６に係る発明は、一端を容器本体の内容液噴出口に取り付けられもしくは取り付け可能とされた可撓性を有する延長ノズル部が容器本体の上部に形成された噴射ボタンの外周に巻回されて収納されており、該可撓性を有する延長ノズル部には、内容液噴射時に該延長ノズル部を巻きほどいて延長したときに延長ノズル部全体をほぼ直線状に保持することができるノズル保持機構が添装された構成のロングノズル付き噴射容器としたものである。
【００１３】
上記のような構成のロングノズル付き噴射容器とすることにより、容器本体の噴射口に噴射容器の全高よりも長い噴射ノズル部を形成することができ、噴射される内容液をより遠く、より高いところまで、また家具の隙間や部屋の隅などの隙間、さらにはエアコンのような電機製品の内部まで確実に到達させることができる。
【００１４】
なお、前記ノズル保持機構としては、例えば、バネ、ワイヤー、蛇腹、ゴム、柔軟性のある樹脂等、屈曲可能な材料を用いたり、回動継ぎ手などの機械式屈曲機構を利用することができる。
【００１５】
また、前記基本ノズル部および延長ノズル部の連結機構としては、一方の連結部の内周面に雌ネジ部を形成するとともに、他方の連結部の外周面に雄ネジ部を形成し、ネジによって螺着する方法や、連結部または内容液噴出口の一方に凸部を他方に凹部を設け、この凹凸部によって係着する方法などを採用することができる。また、容器本体の内容液噴出口に取り付ける際には、連結部の内周壁面が内容液噴出口の外周壁面に密着するように考慮することが好ましい。このような連結機構とすることで、連結部からの漏洩が確実に防止される。なお、連結される基本ノズル部、延長ノズル部の材質、長さ、外径、内径、柔軟性は、噴射容器の仕様に応じて任意に選択することができる。
【００１６】
延長用ノズル部の先端のノズル部分の噴口径は延長用ノズル部の本体部分の内径より大きくすることも、小さくすることも、また同じ径にすることも任意に選択できる。また、通常の噴口以外にもメカニカルブレークアップ等の霧化装置を接続することもできる。
【００１７】
そして、延長用ノズル部に係止部を設けるか、噴射容器の周縁部あるいは噴射容器のキャップ部に係止部を設けるか、あるいはそのどちらにも係止部を設ければ、不使用時に延長用ノズル部を噴射容器に取り付けて保持させることができる。係止部の構造としては、フック状や溝状のものなどを挙げることができる。
【００１８】
噴射容器としては、液化石油ガス（ＬＰＧ）、ジメチルエーテル、窒素、炭酸ガス、圧縮空気、イソペンタン等の噴射剤を用いたエアゾール噴射容器や機械式内容物圧縮機構を用いたトリガーディスペンサーやフィンガーディスペンサー等の噴射容器等が挙げられる。
【００１９】
また、噴射容器内に収容される内容液としては、例えば、防・殺カビ剤、除菌・抗菌剤、消臭剤、芳香剤、洗浄剤、漂白剤、防・殺虫剤、防・殺蟻剤、防・殺ダニ剤、防・殺鼠剤、潤滑剤から選ばれた１種または２種以上の液体などを挙げることができる。
【００２０】
【発明の実施の形態】
以下、図面を参照して、本発明の実施の形態について説明する。
図１〜図４に、本発明に係るロングノズル付き噴射容器の第１の実施の形態を示す。図１は不使用状態時の全体構造を示す図、図２は延長ノズル部の拡大断面図、図３は基本ノズル部のみによる使用状態時の側面図、図４は基本ノズル部に延長ノズル部をつないでロングノズルとした場合の側面図である。
【００２１】
この第１の実施の形態に係るロングノズル付き噴射容器は、容器本体１の上部に取り付けられた噴射ボタン２を押すことにより、容器本体１の内部に充填した液化天然ガスなどのガス圧で内容液をノズル部３から外部へ噴射するようにしたエアゾールタイプの噴射容器の例を示すものである。
【００２２】
噴射ボタン２の内容液噴出口４には、基本ノズル部５の一方の端部が連結されている。この基本ノズル部５は、先端のノズル３に所定長さからなる硬質チューブ６が取り付けられているとともに、この硬質チューブ６の他端に屈曲自在な軟質チューブ７が連結され、該軟質チューブ７の他端が前記噴射ボタン２の内容液噴出口４に取り外し不可能に連結されている。そして、折り曲げ自在な前記軟質チューブ７の外周には所定のバネ力からなるコイル状のバネ８（二点鎖線で図示）が巻回されている。
【００２３】
前記基本ノズル部５は、不使用時には、図１に示すように軟質チューブ７の部分で折り曲げられ、キャップ９の側面に設けられたノズル係止用フック１０に係止され、不使用時には容器本体１の胴部側面に沿って収納されている。そして、使用時、基本ノズル部５をノズル係止用フック１０から取り外すと、基本ノズル部５はバネ８のバネ力によって、図３に示すように水平状態に保持されるようになっている。したがって、この状態で噴射ボタン２を押せば、基本ノズル部５の先端のノズル３から内容液が噴射される。なお、基本ノズル部５の長さは、図１の折り畳み状態において先端のノズル３が容器本体１の底部よりも下側へ飛び出すことがない長さとされている。
【００２４】
一方、キャップ９の天面の適宜位置には、溝状の係止部を持った切り欠き部１１が形成されており、この切り欠き部１１に、延長ノズル部１２が取り外し自在にはめ込まれている。この延長ノズル部１２は、前記基本ノズル部５だけでは噴射用ノズルとしての長さが足りない場合などに、基本ノズル部５につなぎ足して噴射用ノズルの全長を更に延長するためのもので、硬質チューブ１３の先端に噴射用のノズル１４が取り付けられているとともに、硬質チューブ１３の基端側には延長ノズル部１２を基本ノズル部５につなぐための連結部１５が設けられている。
【００２５】
連結部１５の開口部内周面には雌ネジ１６（図２参照）が形成されており、この雌ネジ１６を前記基本ノズル部５のノズル３の外周面に形成された雄ネジ１７に螺着することにより、延長ノズル部１２を基本ノズル部５に連結できるように構成されている。なお、連結部１５の外周部には係止突片１８が形成されており、この係止突片１８をキャップ９の切り欠き部１１に係止することにより、延長ノズル部１２をキャップ９の側面に着脱自在に取り付けることができるようになっている。
【００２６】
上記第１の実施の形態に係るロングノズル付き噴射容器は、次のようにして使用される。すなわち、その使用に際しては、まず図１の状態において基本ノズル部５をノズル係止用フック１０から取り外し、上方に持ち上げて水平に延ばす。これによって基本ノズル部５は、軟質チューブ７の外周に巻回されたバネ８のバネ力によって図３に示すように水平状態となり、この状態を保持される。
【００２７】
基本ノズル部５を図３のように水平に起こした状態で、容器本体１を手で持ち、基本ノズル部５の先端のノズル３を噴射対象部分に向ける。そして、この状態で上部の噴射ボタン２を押すと、内容液がノズル３から対象部分に向けて噴射される。
【００２８】
一方、上記のようにして内容液を噴射しようとした際に、基本ノズル部５の先端のノズル３が噴射対象部分まで届かないような場合には、キャップ９の側面に着脱自在に取り付けてある延長ノズル部１２を取り外し、該延長ノズル部１２の連結部１５の開口部内周面に形成されている雌ネジ１６を、基本ノズル部５のノズル３の外周面に形成された雄ネジ１７に螺着する。
【００２９】
これによって、図４に示すように、内容液噴射のためのノズル部分の全長が連結した延長ノズル部１２の分だけ延長されていわゆるロングノズルとなり、噴射される内容液をより遠く、より高いところまで、また家具の隙間や部屋の隅などの隙間、さらにはエアコンのような電機製品の内部まで確実に到達させることができるようになる。
【００３０】
また、基本ノズル部５と延長ノズル部１２は雄ネジ１７と雌ねじ１６によって螺着されてつながれるので、従来の嵌合方式のように簡単に外れてしまうようなことがなく、しかもつなぎ目から内容液が漏れ出すというような心配もない。
【００３１】
図５および図６に、本発明に係るロングノズル付き噴射容器の第２の実施の形態を示す。図５は不使用状態時の全体構造を示す図、図６はロングノズル状態時の側面図である。
【００３２】
この第２の実施の形態に係るロングノズル付き噴射容器は、容器本体３１の上部に設けられたディスペンサー３２のトリガー３３を引くことにより、内容液をノズル３４から外部へ噴射するようにしたトリガースプレータイプの噴射容器の例を示すものである。
【００３３】
ディスペンサー３２の内容液噴出口３５には、基本ノズル部３６が回転継ぎ手３７によって回動自在に連結されている。この基本ノズル部３６は、所定長さの硬質チューブ３８からなり、この硬質チューブ６の先端にノズル３４が固着されている。
【００３４】
前記基本ノズル部３６は、不使用時には、図５に示すように回転継ぎ手３７の部分で折り曲げられ、垂直下向きに折り畳まれている。そして、使用時には、基本ノズル部５を上方へ回動することによって、図６に示すように水平状態に保持されるようになっている。したがって、この状態でトリガー３３を引けば、ノズル３４から内容液が噴射される。なお、基本ノズル部３６の長さは、図１の折り畳み状態において先端のノズル３４が容器本体１の底部よりも下側へ飛び出すことがない長さとされている。
【００３５】
さらに、容器本体（またはキャップ）３１の上部適宜位置には、係止溝３９が形成されており、この係止溝３９に、延長ノズル部４０が取り外し自在に係止されている。この延長ノズル部４０は、前記基本ノズル部３６だけでは長さが足りない場合などに基本ノズル部３６につなぎ足して噴射用ノズルの全長を更に延長するためのもので、硬質チューブ４１の先端に噴射用のノズル４２が取り付けられているとともに、この硬質チューブ４１の基端側には基本ノズル部３６につなぐための連結部４３が設けられている。
【００３６】
連結部４３の開口部内周面には雌ネジ（図示なし）が形成されており、この雌ネジを前記基本ノズル部３６のノズル３４の外周面に形成された雄ネジ４５に螺着することにより、延長ノズル部４０を基本ノズル部３６に連結できるように構成されている。なお、連結部４３の外周部には係止突片４６が形成されており、この係止突片４６を容器本体（またはキャップ）上部の係止溝３９に係止することにより、延長ノズル部４０を容器胴部３１の側面に着脱自在に取り付けることができるようになっている。
【００３７】
上記第２の実施の形態に係るロングノズル付き噴射容器は、次のようにして使用される。まず図５の状態において基本ノズル部３６を上方に持ち上げ、水平位置まで回す。これによって基本ノズル部３６は、回動継ぎ手３７によって水平状態を保持される。
【００３８】
基本ノズル部３６を水平に保持した状態で、容器本体３１を手で持ち、基本ノズル部３６の先端のノズル３４を噴射対象部分に向ける。そして、この状態でディスペンサー３２のトリガー３３を引くと、内容液がノズル３４から対象部分に向けて噴射される。
【００３９】
一方、上記のようにして内容液を噴射しようとした際に、基本ノズル部３６の先端のノズル３４が噴射対象部分まで届かないような場合には、容器本体３１の側面に着脱自在に取り付けてある延長ノズル部４０を取り外し、該延長ノズル部４０の連結部４３の開口部内周面に形成されている雌ネジを、基本ノズル部３６のノズル３４の外周面に形成された雄ネジ４５に螺着する。
【００４０】
これによって、図６に示すように、内容液噴射のためのノズル部分の全長が延長ノズル部４０の分だけ延長されてロングノズルとなり、噴射される内容液をより遠く、より高いところまで、また家具の隙間や部屋の隅などの隙間、さらにはエアコンのような電機製品の内部まで確実に到達させることができるようになる。
【００４１】
また、基本ノズル部３６と延長ノズル部４０は、第１の実施の形態と同じように、雌ネジと雄ネジによって螺着されてつながれるので、従来の嵌合方式のように簡単に外れてしまうようなことがなく、しかもつなぎ目から内容液が漏れ出すというような心配もない。
【００４２】
図７に、本発明に係るロングノズル付き噴射容器の第３の実施の形態を示す。図７（ａ）は不使用状態時の全体構造を示す図、図７（ｂ）は使用状態時の側面図である。
【００４３】
この第３の実施の形態に係るロングノズル付き噴射容器は、エアゾールタイプの噴射容器の例を示すものであって、キャップ５１に、二つ折りにした延長ノズル部５２が取り外し自在に取り付けられている。
【００４４】
この延長ノズル部５２は、中央部に屈曲自在な軟質チューブ５３を有し、この軟質チューブ５３の両端部にそれぞれ所定長さからなる硬質チューブ５４，５５が取り付けられ、さらに軟質チューブ５３のまわりには所定バネ力からなるコイル状のバネ５６を巻回したものであって、一方の硬質チューブ５４の端部には、延長ノズル部５２を容器本体５７の内容液噴出口５９に螺着するための連結部６０が取り付けられ、他方の硬質チューブ５５の先端部には噴射用のノズル６１が取り付けられている。
【００４５】
その使用に際しては、図７（ａ）の状態においてキャップ５１から延長ノズル部５２を取り外すとともに、キャップ５１を容器本体５７から取り外す。そして、容器本体１を手で持ち、噴射ボタン５８の内容液噴出口５９を噴射対象部分に向ける。そして、この状態で噴射ボタン５８を押すと、内容液が内容液噴出口５９から対象部分に向けて噴射される。
【００４６】
一方、上記のようにして内容液を噴射しようとした際に、内容液噴出口５９から噴射する内容液が噴射対象部分まで届かないような場合には、図７（ｂ）に示すように、キャップ９から取り外した延長ノズル部５２の連結部６０を噴射ボタン５８の内容液噴出口５９に螺着する。
【００４７】
これによって、延長ノズル部５２は軟質チューブ５３の周囲に巻回したバネ５６によって図示するように水平状態となり、内容液噴射のためのノズル部分はその全長が延長ノズル部５２の分だけ延長されてロングノズルとなり、噴射される内容液をより遠く、より高いところまで、また家具の隙間や部屋の隅などの隙間、さらにはエアコンのような電機製品の内部まで確実に到達させることができるようになる。
【００４８】
また、延長ノズル部５２と内容液噴出口５９はネジによって螺着されてつながれるので、従来の嵌合方式のように簡単に外れてしまうようなことがなく、しかもつなぎ目から内容液が漏れ出すというような心配もない。
【００４９】
図８に、本発明に係るロングノズル付き噴射容器の第４の実施の形態を示す。図８（ａ）は不使用状態時の全体構造を示す図、図８（ｂ）は使用状態時の側面図である。
【００５０】
この第４の実施の形態に係るロングノズル付き噴射容器は、エアゾールタイプの噴射容器の例を示すものであって、二つ折りにされた延長ノズル部７１がその一端側を容器本体７２の内容液噴出口７２ａに連結され、かつ、他端のノズル７９を容器本体７２の側面の係止機構（図示せず）に着脱自在に係止した状態で、容器本体７２の側面に取り付けられている。
【００５１】
前記延長ノズル部７１は、中央部に屈曲自在な軟質チューブ７３を有し、この軟質チューブ７３の両端部にそれぞれ所定長さからなる硬質チューブ７４，７５が取り付けられている。軟質チューブ７３のまわりには所定バネ力からなるコイル状のバネ７６が巻回されている。
【００５２】
さらに、一方の硬質チューブ７４の端部には、屈曲自在な軟質チューブ７７が連結され、この軟質チューブ７７が容器本体７２の内容液噴出口７２ａに連結されている。この軟質チューブ７７のまわりにも、所定バネ力からなるコイル状のバネ７８が巻回されている。また、他方の硬質チューブ７５の先端部には噴射用のノズル７９が取り付けられており、このノズル７９は図示を略した係止機構によって容器本体７２の側面に形成された溝穴などの係止機構に着脱自在に係止されている。
【００５３】
その使用に際しては、図８（ａ）の状態において容器本体７２から延長ノズル部７１のノズル７９を取り外す。これによって、延長ノズル部７１は、軟質チューブ７３，７７の周りに巻回したバネ７６，７８の作用によって図８（ｂ）に示すように、容器本体７１から水平に延びた状態となり、この状態を維持される。
【００５４】
この状態で容器本体１を手で持ち、延長ノズル部先端のノズル７９を噴射対象部分に向ける。そして、この状態で噴射ボタン８０を押すと、内容液がノズル７９から対象部分に向けて噴射される。
【００５５】
図示するところから明らかなように、この第３の実施の形態の場合、２つおりにして収納されていた延長ノズル部７１によって内容液噴射のためのノズル部分の全長が容器本体７２の全高の約２倍程度まで延びてロングノズルとなるので、噴射される内容液をより遠く、より高いところまで、また家具の隙間や部屋の隅などの隙間、さらにはエアコンのような電機製品の内部まで確実に到達させることができるようになる。
【００５６】
図９に、本発明に係るロングノズル付き噴射容器の第５の実施の形態を示す。図９（ａ）は不使用状態時の全体構造を示す図、図９（ｂ）は使用状態時の側面図である。
【００５７】
この第５の実施の形態に係るロングノズル付き噴射容器は、エアゾールタイプの噴射容器の例を示すものであって、容器本体８１の上部のキャップ８２に２本の延長ノズル部８３が着脱自在に取り付けられている。
【００５８】
２本の延長ノズル部８３は同じ形状になり、硬質チューブ８４の先端に噴射用のノズル８５が取り付けられているとともに、硬質チューブ８４の基端側には、延長ノズル部を容器本体８１の内容液噴出口８６に連結し、あるいはお互いの延長ノズル部８３同士を連結するための連結部８７が設けられている。なお、この連結部８７の開口部内周面には雌ネジ（図示せず）が形成されているとともに、ノズル８５には雄ネジ８８が形成されている。
【００５９】
その使用に際しては、図９（ａ）の状態においてキャップ８２から延長ノズル部８３を取り外すとともに、キャップ８２を容器本体８１から取り外す。そして、容器本体１を手で持ち、内容液噴出口８６を噴射対象部分に向ける。この状態で噴射ボタン８９を押すと、内容液が内容液噴出口８６から対象部分に向けて噴射される。
【００６０】
一方、上記のようにして内容液を噴射しようとした際に、内容液噴出口８６から噴射する内容液が噴射対象部分まで届かないような場合には、図９（ｂ）に示すように、キャップ８２から取り外した一方の延長ノズル部８３の連結部８７を容器本体８１の内容液噴出口８６に螺着し、さらにそれでも内容液を噴射するためのノズル部分の長さが不足する場合には、残りの他の１本の延長ノズル部８３をさらに前記螺着した延長ノズル部８３の先端のノズル８５の部分に螺着する。
【００６１】
このようにして、１本の延長ノズル部によって、あるいは２本の延長ノズル部によって内容液噴射のためのノズル部分の全長を延長してロングノズルとした状態で、容器本体１を手で持ち、延長ノズル部８３の先端のノズル８５を噴射対象部分に向け、噴射ボタン８０を押す。これによって、内容液がノズル８５から対象部分に向けて噴射される。
【００６２】
図示するところから明らかなように、この第５の実施の形態の場合、２本の延長ノズル部８３によって内容液噴射のためのノズル部分の全長を容器本体７２の全高さの約２倍程度まで延ばすことができるので、噴射される内容液をより遠く、より高いところまで、また家具の隙間や部屋の隅などの隙間、さらにはエアコンのような電機製品の内部まで確実に到達させることができるようになる。
【００６３】
また、内容液噴出口８６と延長ノズル部８３、延長ノズル部８３同士の連結はネジによって螺着されるので、従来の嵌合方式のように簡単に外れてしまうようなことがなく、しかもつなぎ目から内容液が漏れ出すというような心配もない。
【００６４】
図１０および図１１に、本発明に係るロングノズル付き噴射容器の第６の実施の形態を示す。図１０（ａ）は不使用状態時の全体構造を示す図、図１０（ｂ）は使用状態時の側面図である。
【００６５】
この第６の実施の形態に係るロングノズル付き噴射容器は、エアゾールタイプの噴射容器の例を示すものであって、不使用時は、図１０（ａ）に示すように、その一端を容器本体９１の内容液噴出口（図示なし）に連結された延長ノズル部９２を、容器本体９１の上部の噴射ボタン９３のまわりに巻き付けて収納するとともに、使用時には、キャップ９４を取り外した後、図１０（ｂ）に示すように、延長ノズル部９２を引き出して水平状態に延長することにより、その先端のノズル９５から内容液を噴射するようにしたものである。
【００６６】
この第６の実施の形態の場合、前記延長ノズル部９２は、例えば図１１に示すような構造とされている。すなわち、図１１（ａ）に示す延長ノズル部９２は、所定の剛性を備えた屈曲自在なワイヤー９７を軟質チューブ９６の内周壁面に沿わせて添装したもので、このワイヤー９７によって軟質チューブ９６を図１１（ｂ）に示すような水平状態に保持できるようにしたものである。なお、このワイヤー９７として形状記憶タイプ、超弾性タイプのものを用いれば、さらに優れたものとなる。
【００６７】
また、図１１（ｂ）に示す延長ノズル部９２は、軟質チューブ９６の外周を被う保護層９８内ににワイヤー９７を添装したもので、前記図１１（ａ）の場合と同様に、このワイヤー９７によって軟質チューブ９６を図１１（ｂ）に示すような水平状態に保持できるようにしたものである。
【００６８】
また、図１１（ｃ）に示す延長ノズル部９２は、軟質チューブ９６の外周に所定バネ力からなるコイル状のバネ９９を添装し、その外側を保護層１００（二点鎖線で略示）によって被覆したもので、このバネ９９によって軟質チューブ９６を図１１（ｂ）に示すような水平状態に保持できるようにしたものである。
【００６９】
この第６の実施の形態に係るロングノズル付き噴射容器の場合、最大噴射ボタン９３の周りに巻き付けた延長ノズル部９２の長さだけ延長してロングノズルとすることができるので、噴射される内容液をより遠く、より高いところまで、また家具の隙間や部屋の隅などの隙間、さらにはエアコンのような電機製品の内部まで確実に到達させることができる。
【００７０】
【実施例】
（実施例１）
図１〜図４に示した第１の実施の形態に係るロングノズル付き噴射容器に、下記表１〜表３に示す組成からなる防カビ・消臭剤をそれぞれ充填し、家庭用の壁面設置タイプのエアコン（東芝製）に噴霧した。第１の実施の形態に係るロングノズル付き噴射容器は、容器本体１の全高の約２倍近い長さのロングノズルとすることができるため、踏み台を使うことなしに高所に設置されているエアコン内に内容液を噴射することが可能であった。また、エアコンの内部に噴射するためにエアコンの前面パネルを外すことなく、空気吹き出し口の隙間からエアコン内部に効率的に噴射することができた。モニター３０名について使い勝手の調査を行ったところ、３０名中２６名が使い勝手がよい、あるいは非常によいとの評価であった。
【００７１】
＜表１＞
ジデシルエチルメチルアンモニウムエトサルフェート　０．０３％
消臭剤（サトウキビ抽出物）　０．０３％
香料　０．０１５％
噴射剤＝液化石油ガス（０．２５ＭＰａ）　　　　　　　　　　　　７０％
エタノール　　　　　バランス
【００７２】
＜表２＞
チアベンダゾール　０．１２％
ジデシルメチルメチルアンモニウムメトサルフェート　０．０６％
消臭剤（緑茶抽出物）　０．０３％
香料　　　０．０１５％
噴射剤＝液化石油ガス（０．３０ＭＰａ）　　　　　　　　　　　７０％
エタノール　　　　　　　　　　バランス
【００７３】
＜表３＞
パラクロロメタキシレノール　　　　　０．０８％
ジデシルエチルメチルアンモニウムエトサルフェート　０．２５％
消臭剤（リシノール酸亜鉛）　０．０８％
香料　０．０８％
噴射剤＝液化石油ガス（０．４５ＭＰａ）　　　　　　　　　　　　４．８％
ジメチルエーテル（ＤＭＥ）　　　　　　　　　　　　　１１．２％
エタノール　　　　　バランス
【００７４】
（実施例２）
図１〜図４に示した第一の実施の形態に係るロングノズル付き噴射容器に、下記表４に示す組成からなる住居内用防カビ剤を充填し、家具の裏、押入内部、下駄箱内部に噴霧した。その結果、家具の裏の奧、押し入れの奥、下駄箱の内部の隅に防カビ剤を効率よく噴射することができた。モニター３０名について使い勝手の調査を行ったところ、３０名中２４名が使い勝手がよい、あるいは非常によいとの評価であった。
【００７５】
＜表４＞
チアベンダゾール　　　　　　　　　　　　　　　　　　　　０．１２％
ジデシルエチルメチルアンモニウムエトサルフェート　　　０．０３％
消臭剤（サトウキビ抽出物）　　　　　　　　　　　　　　０．０３％
香料　　　　　　　　　　　　　　　　　　　　　　　　　０．０１５％
噴射剤＝液化石油ガス（０．２５ＭＰａ）　　　　　　　　　　　　７０％
エタノール　　　　　　　　　　　　　　　　　　　　　　バランス
【００７６】
（実施例３）
図５および図６に示した第２の実施形態に係るロングノズル付き噴射容器に、下記表５、表６に示す組成からなる排水管用の除菌洗浄剤をそれぞれ充填し、家庭内の排水口に噴射した。第２の実施の形態に係るロングノズル付き噴射容器は、トリガースプレータイプの噴射容器の全高の約２倍近いロングノズルとすることができるため、排水口の上部付近だけでなく、排水口深部のヌメリや汚れに対して的確に除菌洗浄剤を噴射することが可能であった。また、排水口の外部に漏れ出ることなく内部のみに確実に噴射することができた。モニター２０名について使い勝手の調査を行ったところ、２０名中１７名が使い勝手がよい、あるいは非常によいとの評価であった。
【００７７】
＜表５＞
エタノールアミン　　１．０％
ポリオキシエチレン（平均付加モル数１０）ラウリルエーテル　０．５％
ジデシルエチルメチルアンモニウムエトサルフェート　　０．１％
消臭剤（サトウキビ抽出物）　　０．１％
香料　　０．０５％
精製水　　　　　　　　　　　　　　　バランス
【００７８】
＜表６＞
エタノールアミン　２．０％
アルキルアミンオキシド　　　０．１％
ジデシルエチルメチルアンモニウムエトサルフェート　０．１％
消臭剤（針葉樹抽出物）　０．１％
香料　０．０５％
精製水　　　　　　　　（バランス）
【００７９】
なお、本発明は、上記した発明の要旨の範囲内で種々の設計変更ならびに改変が可能であり、これらもまた本発明の範囲に含まれるものである。
【００８０】
【発明の効果】
以上説明したように、本発明のロングノズル付き噴射容器によれば、必要に応じて容器本体の噴射口に容器本体の全高よりも長い噴射ノズル部を形成することができるので、噴射される内容液をより遠く、より高いところまで、また家具の隙間や部屋の隅などの隙間、さらにはエアコンのような電機製品の内部まで確実に到達させることができ、優れた使用感と操作性を実現することができる。
【図面の簡単な説明】
【図１】本発明に係るロングノズル付き噴射容器の第１の実施の形態を示すもので、（ａ）は不使用状態時の平面図、（ｂ）はその正面図、（ｃ）はその断面図である。
【図２】第１の実施の形態における延長チューブの拡大断面図である。
【図３】第１の実施の形態における基本ノズル部の使用状態時の側面図である。
【図４】第１の実施の形態において基本ノズル部に延長ノズル部をつないでロングノズルとした状態の側面図である。
【図５】本発明に係るロングノズル付き噴射容器の第２の実施の形態を示すもので、（ａ）は不使用状態時の正面図、（ｂ）はその側面図である。
【図６】第２の実施の形態においてロングノズル状態とした時の側面図である。
【図７】本発明に係るロングノズル付き噴射容器の第３の実施の形態を示すもので、（ａ）は不使用状態時の全体構造を示す略示斜視図、（ｂ）は使用状態時の側面図である。
【図８】本発明に係るロングノズル付き噴射容器の第４の実施の形態を示すもので、（ａ）は不使用状態時の全体構造を示す略示斜視図、（ｂ）は使用状態時の側面図である。
【図９】本発明に係るロングノズル付き噴射容器の第５の実施の形態を示すもので、（ａ）は不使用状態時の全体構造を示す略示斜視図、（ｂ）は使用状態時の側面図である。
【図１０】本発明に係るロングノズル付き噴射容器の第６の実施の形態を示すもので、（ａ）は不使用状態時の全体構造を示す略示斜視図、（ｂ）は使用状態時の側面図である。
【図１１】（ａ）〜（ｃ）は第６の実施の形態で用いる延長ノズル部の構造例をそれぞれ示す図である。
【符号の説明】
１　　容器本体
２　　噴射ボタン
３　　ノズル
４　　内容液噴出口
５　　基本ノズル部
６　　硬質チューブ
７　　軟質チューブ
８　　バネ
９　　キャップ
１０　ノズル係止用フック
１１　切り欠き部
１２　延長ノズル部
１３　硬質チューブ
１４　ノズル
１５　連結部
１６　雌ねじ
１７　雄ネジ
１８　係止突片
３１　容器本体
３２　ディスペンサー
３３　トリガー
３４　ノズル
３５　内容液噴出口
３６　基本ノズル部
３７　回転継ぎ手
３８　硬質チューブ
３９　係止溝
４０　延長ノズル部
４１　硬質チューブ
４２　ノズル
４３　連結部
５１　キャップ
５２　延長ノズル部
５３　軟質チューブ
５４　硬質チューブ
５５　硬質チューブ
５６　バネ
５７　容器本体
５８　噴射ボタン
５９　内容液噴出口
６０　連結部
６１　ノズル
７１　延長ノズル部
７２　容器本体
７２ａ　内容液噴出口
７３　軟質チューブ
７４　硬質チューブ
７５　硬質チューブ
７６　バネ
７７　軟質チューブ
７８　バネ
７９　ノズル
８０　噴射ボタン
８１　容器本体
８２　キャップ
８３　延長ノズル部
８４　硬質チューブ
８５　ノズル
８６　内容液噴出口
８７　連結部
８８　雄ネジ
８９　噴射ボタン
９１　容器本体
９２　延長ノズル部
９３　噴射ボタン
９４　キャップ
９５　ノズル
９６　軟質チューブ
９７　ワイヤー
９８　保護層
９９　バネ
１００　保護層
【図１】
2004026278.tif 000003
【図２】
2004026278.tif 000004
【図３】
2004026278.tif 000005
【図４】
2004026278.tif 000006
【図５】
2004026278.tif 000007
【図６】
2004026278.tif 000008
【図７】
2004026278.tif 000009
【図８】
2004026278.tif 000010
【図９】
2004026278.tif 000011
【図１０】
2004026278.tif 000012
【図１１】
2004026278.tif 000013